【手続補正書】
【提出日】平成19年12月21日(2007.12.21)
【手続補正１】
【補正対象書類名】明細書
【補正対象項目名】特許請求の範囲
【補正方法】変更
【補正の内容】
【特許請求の範囲】
【請求項１】  少なくとも第１及び第２基地局及び少なくとも１つの無線端末を含むネットワークにおいてネットワーク発見を実行する方法であって、
前記第１基地局と第２基地局との間における前記無線端末のハンドオフの要求を受信するステップ、
前記要求を受信するステップの前に前記第２基地局が前記第１基地局を認識しているか否かを判定するステップ、及び
前記要求を受信するステップの前に前記第２基地局が前記第１基地局を認識していない場合には、前記第２基地局において前記第１基地局とのハンドオフに関与できることを記録するステップ
からなる方法。
【請求項２】  請求項１記載の方法において、前記第１基地局が前記要求の前に前記無線端末にサービスを行っている方法。
【請求項３】  請求項１記載の方法において、前記第２基地局が前記要求の前に前記無線端末にサービスを行っている方法。
【請求項４】  請求項１記載の方法において、前記ハンドオフに対する前記要求が前記無線端末から受信される方法。
【請求項５】  請求項１記載の方法において、前記ハンドオフに対する前記要求が、前記第１及び第２基地局を前記要求の一部として識別する前記無線端末から受信される方法。
【請求項６】  請求項１記載の方法において、前記ハンドオフに対する要求が、前記無線端末に無線サービスを提供している前記第１基地局から送信され、前記第２基地局によって受信される方法。
【請求項７】  請求項１記載の方法において、前記ハンドオフに対する要求が、前記第１基地局から送信され、前記無線端末に無線サービスを提供している前記第２基地局によって受信される方法。
【請求項８】  請求項１記載の方法において、前記記録するステップが、前記第１基地局が前記第２基地局を首尾よく認証した場合にのみ実行される方法。
【請求項９】  請求項１記載の方法において、前記要求が無線形式で前記無線端末から直接に受信される方法。
【請求項１０】  請求項１記載の方法において、前記第１基地局と前記第２基地局が有線ネットワークを介して通信する方法。
【請求項１１】  請求項１記載の方法において、前記第１基地局と前記第２基地局とがパケットネットワークを介して通信する方法。
【請求項１２】  請求項１記載の方法において、前記第１基地局と前記第２基地局とがインターネットプロトコル（ＩＰ）ネットワークを介して通信する方法。
【請求項１３】  請求項１記載の方法において、前記要求が前記第２基地局に対して前記第１基地局を確認する方法。
【請求項１４】  請求項１記載の方法であって、さらに、
前記要求を受信するステップの前に前記第１基地局が前記第２基地局を認識していない場合には、前記第１基地局において前記第２基地局とのハンドオフに関与できることを記録するステップ
を含む方法。
【請求項１５】  請求項１記載の方法であって、さらに、
前記要求を受信するステップの前に前記第２基地局が前記第１基地局を認識していない場合には、前記第１基地局と前記第２基地局との間で非優先的なハンドオフを実行するステップ
を含む方法。
【請求項１６】  請求項１記載の方法であって、さらに、
前記要求を受信するステップの前に前記第２基地局が前記第１基地局を認識していない場合には、前記無線端末と前記第２基地局との間で新たな接続を確立するステップ
を含む方法。
【請求項１７】  請求項１記載の方法であって、さらに、
前記要求を受信するステップの前に前記第２基地局が前記第１基地局を認識していない場合には、前記無線端末と前記第１基地局との間で新たな接続を確立するステップ
を含む方法。
【請求項１８】  少なくとも第１及び第２基地局及び少なくとも１つの無線端末を含むネットワークにおいてネットワーク発見を実行する方法であって、
第１基地局から第２基地局に対してハンドオフを要求するステップであって、前記要求が前記第１の基地局に、前記第２の基地局に前記ハンドオフが実行されていることを確認する、ステップ
からなる方法。
【請求項１９】  請求項１８記載の方法であって、さらに、前記第２基地局が前記第１基地局とハンドオフできるようにする指示を前記第２基地局内に記録するステップを含む方法。
【請求項２０】  請求項１９記載の方法において、前記ハンドオフが優先的なハンドオフである方法。
【請求項２１】  請求項１８記載の方法であって、さらに、前記第２基地局が前記第１基地局を認証できる場合にのみ前記第２基地局が前記第１基地局とハンドオフできるようにする指示を前記第２基地局内に記録するステップを含む方法。
【請求項２２】  請求項１８記載の方法であって、さらに、ハンドオフが実行されている第２基地局を前記第１基地局に対して確認するステップを含む方法。
【請求項２３】  請求項２２記載の方法であって、さらに、前記第１基地局が前記第２基地局とハンドオフできるように前記第１基地局内に記録するステップを含む方法。
【請求項２４】  請求項２３記載の方法において、前記ハンドオフは優先的なハンドオフである方法。
【請求項２５】  請求項２２記載の方法であって、さらに、前記第１基地局が前記第２基地局を認証できる場合にのみ前記第１基地局が前記第２基地局とハンドオフできるようにする指示を前記第１基地局内に記録するステップを含む方法。
【請求項２６】  無線通信サービスを提供するネットワークにおいてネットワーク発見を実行する装置であって、
第１基地局であって、該第１基地局と優先的なハンドオフを実行できる基地局を示す第１のデータベースを備えた第１基地局、
第２基地局、
前記第１及び第２基地局と接続する通信ネットワーク、及び
少なくとも１つの無線端末であって、前記第１及び第２基地局と十分にかつ同時に通信可能である無線端末
からなり、前記第１基地局が、前記無線端末から当該第１基地局と前記第２基地局との間でのハンドオフの要求に応答して、前記第１のデータベース内に前記第２基地局を登録する装置。
【請求項２７】  請求項２６記載の装置において、前記第１基地局が、前記第２基地局が認証された場合にのみ前記第１のデータベース内に前記第２基地局を登録する装置。
【請求項２８】  請求項２６記載の装置であって、さらに、
基地局認証ユニットを含み、
前記第１基地局が、前記基地局認証ユニットから受信した前記第２基地局を認証した旨のメッセージに応答して、前記第１のデータベース内に前記第２基地局を登録する装置。
【請求項２９】  請求項２６記載の装置であって、さらに、
基地局認証ユニットを含み、
前記第２基地局が、優先的なハンドオフを実行できる基地局を示す第２のデータベースを有し、前記基地局認証ユニットから受信した前記第１基地局を認証した旨のメッセージに応答して、前記第２のデータベース内に前記第１基地局を登録する装置。
【請求項３０】  請求項２６記載の装置において、前記通信ネットワークが有線ネットワークである装置。
【請求項３１】  請求項２６記載の装置において、前記通信ネットワークがパケットネットワークである装置。
【請求項３２】  請求項２６記載の装置において、前記通信ネットワークがインターネットプロトコル（ＩＰ）ネットワークである装置。
【請求項３３】  請求項２６記載の装置において、前記通信ネットワークの少なくとも１つのリンクが、無線通信サービス及び他の情報を提供する前記ネットワークに対する通信情報のために共有される装置。
【請求項３４】  無線通信サービスを提供するネットワークにおいてネットワーク発見を実行する方法であって、
第２基地局へのハンドオフの要求を第１基地局において無線端末から受信するステップ、
前記第２基地局を認証するステップ、及び
前記第２基地局が隣接する基地局であることを記録するステップ
からなる方法。
【請求項３５】  請求項３４記載の方法において、さらに、優先的なハンドオフが前記隣接する基地局に対して作成される方法。
【請求項３６】  請求項３４記載の方法において、さらに、前記記録するステップにおいて記録された情報が、前記第１基地局と前記第２基地局との間で所定期間内において別のハンドオフの要求が発生しない場合には消去される方法。